(57)【要約】      （修正有）【課題】チューブの肉厚や外径にかかわらず、チューブとオスコネクタとを強固に接続する。【解決手段】一端にチューブに挿入される挿入部１０３を備え、他端を基端部１０４とする略筒形状のオスコネクタ１００がロックパーツ２００に挿入されている。ロックパーツはオスコネクタに対して回転可能である。オスコネクタは、挿入部の外周面の一部に、中心軸と平行な方向に沿って見たときに中心軸からの距離が増大するように盛り上がった少なくとも１つの第１隆起部１３０ａを備える。ロックパーツは、その外周面上に、中心軸と平行な方向に沿って見たときに中心軸からの距離が増大するように盛り上がった少なくとも１つの第２隆起部２３０ａを備える。オスコネクタの中心軸から第１隆起部の頂部までの距離は、ロックパーツの中心軸から第２隆起部の頂部までの距離と同じか、またはこれより大きい。【選択図】図５
2010115327.tif 000002
【特許請求の範囲】
【請求項１】
一端にチューブに挿入される挿入部を備え、他端を基端部とする略筒形状のオスコネクタと、ロックパーツとを備え、
前記ロックパーツに前記オスコネクタが挿入されており、前記ロックパーツは前記オスコネクタに対して中心軸回りに回転可能であり、
前記オスコネクタは、前記挿入部の外周面の一部に、中心軸と平行な方向に沿って見たときに中心軸からの距離が増大するように盛り上がった少なくとも１つの第１隆起部を備え、
前記ロックパーツは、その外周面上に、中心軸と平行な方向に沿って見たときに中心軸からの距離が増大するように盛り上がった少なくとも１つの第２隆起部を備え、
前記オスコネクタの前記中心軸から前記第１隆起部の頂部までの距離は、前記ロックパーツの前記中心軸から前記第２隆起部の頂部までの距離と同じか、またはこれより大きいことを特徴とする接続部材。
【請求項２】
前記少なくとも１つの第１隆起部は、前記挿入部から前記基端部にいくにしたがって中心軸からの距離が増大するような傾斜面を備える請求項１に記載の接続部材。
【請求項３】
複数の前記第１隆起部が中心軸に対して等角度間隔に配置されている請求項１に記載の接続部材。
【請求項４】
前記複数の第１隆起部と同数の前記第２隆起部を備え、前記第２隆起部は中心軸に対して等角度間隔に配置されている請求項３に記載の接続部材。
【請求項５】
前記少なくとも１つの第１隆起部の中心軸方向位置に対して前記少なくとも１つの第２隆起部の中心軸方向位置が前記基端部側に位置する第１拡張位置と、前記少なくとも１つの第１隆起部の中心軸方向位置と前記少なくとも１つの第２隆起部の中心軸方向位置とが重複する第２拡張位置とに、前記ロックパーツを前記オスコネクタに対して中心軸方向に移動可能であり、
前記第２拡張位置では、周方向において、前記少なくとも１つの第１隆起部が設けられていない領域内に前記少なくとも１つの第２隆起部が配置される請求項１に記載の接続部材。
【請求項６】
前記オスコネクタが挿入された前記ロックパーツが前記オスコネクタの前記基端部側から脱落するのを防止する脱落防止機構が設けられている請求項１に記載の接続部材。
【請求項７】
請求項１〜６のいずれかに記載の接続部材を一端に備えた経腸栄養投与セット。
【請求項８】
請求項１〜６のいずれかに記載の接続部材を一端に備えた経腸栄養延長チューブ。
【発明の詳細な説明】
【技術分野】
【０００１】
本発明は例えば医療用途に使用されるチューブを接続するための接続部材に関する。また、本発明はこの接続部材を備えた経腸栄養投与セット及び経腸栄養延長チューブに関する。
【背景技術】
【０００２】
食道や口腔の外傷、疾患、又は手術等によって食物を口腔から胃に送り込むことが困難となった患者に栄養剤、流動食、又は薬剤など（一般に「経腸栄養剤」と呼ばれる。以下、「液状物」と称する）を投与する方法として経腸栄養療法が知られている。経腸栄養療法では、液状物を患者の体内に送り込むために可撓性を有するチューブ（一般に「経腸栄養カテーテル」と呼ばれる）が用いられる。経腸栄養療法に用いられるチューブとしては、チューブの挿入経路によって、患者の鼻腔を通って胃又は十二指腸にまで挿入される経鼻チューブ、患者の腹に形成された胃ろうを通って胃内に挿入されるＰＥＧ（Percutaneous Endoscopic Gastrostomy）チューブ、患者の首の付け根に形成された穴を通って胃にまで挿入されるＰＴＥＧ（Percutaneus Trans Esophageal Gastro-tubing）チューブなどが知られている。経腸栄養療法を行う際には、その一端が患者の体内に挿入されたチューブの他端のメスコネクタに、液状物が充填された容器（例えばパウチ等）等の流出ポートに接続されたチューブ（例えば経腸栄養投与セット）の下流側端のオスコネクタを挿入して接続する必要がある。
【０００３】
ところで、経腸栄養療法に用いられる液状物の粘度が低いと、胃内の液状物が食道に逆流して肺炎を併発したり、液状物の水分が体内で吸収しきれずに下痢したりする等の問題がある。この問題を防止するために、半固形化したり、トロミ剤や増粘剤を加えたりすることで粘度を高めた液状物が用いられることが多い。
【０００４】
このような高粘度の液状物を患者の体内に送るために、注入器（シリンジ）や液状物を充填した容器を圧縮するための装置などを用いて、液状物に圧力が加えられることがある。この際、液状物に加えられた圧力によって、患者の体内に挿入されたチューブのメスコネクタとこれに挿入されたオスコネクタとが外れてしまうという問題があった。メスコネクタとオスコネクタとの分離の問題は、上述した液状物を圧送する場合に限らず、例えばメスコネクタとオスコネクタとの接続部分に作業者が意図せずに外力を加えてしまった場合などにも発生することがあった。
【０００５】
柔軟なチューブのメスコネクタとオスコネクタとを強固に接続するための締結具が特許文献１に記載されている。この締結具は、いずれもが略Ｃ字状断面を有する略筒状の外側部材及び内側部材からなる。内側部材は外側部材内に挿入されている。内側部材の外周面は半径方向の厚みが周方向において徐々に増大するように偏心しており、外側部材の内周面は内側部材のこの偏心した外周面に沿っている。オスコネクタが挿入されたメスコネクタの外周面上に、内側部材及び外側部材を外装する。そして、内側部材に対して外側部材を周方向に回転させると、外側部材が、内側部材を縮径するように締め付ける。その結果、メスコネクタがオスコネクタと内側部材とによって半径方向に圧縮されるので、メスコネクタとオスコネクタとを強固に接続することができる。
【特許文献１】特開２００７−１９０２４０号公報
【発明の開示】
【発明が解決しようとする課題】
【０００６】
しかしながら、上記の特許文献１の締結具では、メスコネクタをオスコネクタと内側部材との間に挟んで半径方向に圧縮する。従って、メスコネクタの肉厚や外径によっては、内側部材をメスコネクタの外周面上に装着することができない。
【０００７】
本発明は、チューブ（メスコネクタ）の肉厚や外径にかかわらず、チューブとオスコネクタとの強固な接続を実現できる接続部材及び経腸栄養投与セット並びに経腸栄養延長チューブを提供することを目的とする。
【課題を解決するための手段】
【０００８】
本発明の接続部材は、一端にチューブに挿入される挿入部を備え、他端を基端部とする略筒形状のオスコネクタと、ロックパーツとを備える。前記ロックパーツに前記オスコネクタが挿入されており、前記ロックパーツは前記オスコネクタに対して中心軸回りに回転可能である。前記オスコネクタは、前記挿入部の外周面の一部に、中心軸と平行な方向に沿って見たときに中心軸からの距離が増大するように盛り上がった少なくとも１つの第１隆起部を備える。前記ロックパーツは、その外周面上に、中心軸と平行な方向に沿って見たときに中心軸からの距離が増大するように盛り上がった少なくとも１つの第２隆起部を備える。前記オスコネクタの前記中心軸から前記第１隆起部の頂部までの距離は、前記ロックパーツの前記中心軸から前記第２隆起部の頂部までの距離と同じか、またはこれより大きい。
【０００９】
本発明の経腸栄養投与セット及び経腸栄養延長チューブは、いずれも上記の本発明の接続部材をその一端に備える。
【発明の効果】
【００１０】
本発明によれば、オスコネクタの第１隆起部とロックパーツの第２隆起部とがチューブの内周面を中心軸から遠ざかるように押し出すので、チューブが周方向に延伸され接続部材に密着する。これにより、チューブとオスコネクタとの強固な接続を実現できる。
【００１１】
更に、ロックパーツをオスコネクタに対して中心軸回りに回転させることにより、より高い接続強度を得ることができる。
【００１２】
また、オスコネクタの第１隆起部及びロックパーツの第２隆起部は、チューブの内周面にのみ作用する。従って、チューブの肉厚や外径とは無関係に常に高い接続強度を得ることができる。
【００１３】
更に、オスコネクタの中心軸から第１隆起部の頂部までの距離は、ロックパーツの中心軸から第２隆起部の頂部までの距離と同じか、またはこれより大きいので、チューブと接続部材との接続作業性は良好である。
【発明を実施するための最良の形態】
【００１４】
上記の本発明の接続部材において、前記少なくとも１つの第１隆起部は、前記挿入部から前記基端部にいくにしたがって中心軸からの距離が増大するような傾斜面を備えることが好ましい。これにより、チューブに対するオスコネクタの挿入作業性が向上する。
【００１５】
複数の前記第１隆起部が中心軸に対して等角度間隔に配置されていることが好ましい。これにより、高い接続強度を安定して得ることができる。また、チューブの周方向の伸び量が増大するので、接続強度を向上させることができる。
【００１６】
この場合、前記複数の第１隆起部と同数の前記第２隆起部を備え、前記第２隆起部は中心軸に対して等角度間隔に配置されていることが好ましい。これにより、高い接続強度を安定して得ることができる。
【００１７】
前記少なくとも１つの第１隆起部の中心軸方向位置に対して前記少なくとも１つの第２隆起部の中心軸方向位置が前記基端部側に位置する第１拡張位置と、前記少なくとも１つの第１隆起部の中心軸方向位置と前記少なくとも１つの第２隆起部の中心軸方向位置とが重複する第２拡張位置とに、前記ロックパーツを前記オスコネクタに対して中心軸方向に移動可能であり、前記第２拡張位置では、周方向において、前記少なくとも１つの第１隆起部が設けられていない領域内に前記少なくとも１つの第２隆起部が配置されることが好ましい。これにより、ロックパーツを第２拡張位置に変位させることにより、更に高い接続強度を得ることができる。
【００１８】
前記オスコネクタが挿入された前記ロックパーツが前記オスコネクタの前記基端部側から脱落するのを防止する脱落防止機構が設けられていることが好ましい。これにより、オスコネクタとロックパーツとが分離するのを防止できる。
【００１９】
以下、本発明の好適な実施形態を図面を用いて説明する。但し、本発明は以下の実施形態に限定されないことは言うまでもない。
【００２０】
（実施の形態１）
本発明の実施の形態１にかかる接続部材１は、略筒形状のオスコネクタ１００と、オスコネクタ１００を挿入可能なロックパーツ２００とを備える。
【００２１】
図１は、本実施の形態１にかかる接続部材を構成するオスコネクタ１００の斜視図である。図２Ａは図１の矢印２Ａに沿って見たオスコネクタ１００の正面図、図２Ｂは図１の矢印２Ｂに沿って見たオスコネクタ１００の側面図、図２Ｃは図１の矢印２Ｃに沿って見たオスコネクタ１００の下面図である。
【００２２】
オスコネクタ１００は、その中心軸１０１に沿った貫通穴１０２が形成された全体として略中空円筒形状を有している。オスコネクタ１００の一端は例えばＰＥＧチューブの上流側端（メスコネクタ）に挿入される挿入部１０３であり、その他端は液状物が充填された容器などに接続された経腸栄養投与セットを構成するチューブの下流側端と接続される基端部１０４である。液状物は、基端部１０４側から挿入部１０３側に向かって貫通穴１０２内を流れる。以下の説明の便宜のため、中心軸１０１方向において、基端部１０４側（上流側）を「上側」、挿入部１０３側（下流側）を「下側」と呼ぶ。
【００２３】
挿入部１０３の外周面の一部には、基端部１０４側で外径が大きなテーパ面（円錐面）が中心軸１０１方向に複数個繰り返して配置されたタケノコ形状部１０５が形成されている。但し、タケノコ形状部１０５は一例であって、これ以外の、オスコネクタの挿入部として公知の形状が形成されていても良い。
【００２４】
挿入部１０３の外周面の他の一部に、好ましくはタケノコ形状部１０５よりも基端部１０４側の位置に、中心軸１０１と平行な方向に沿って見たときに中心軸１０１からの距離が他の部分に比べて増大するように盛り上がった２つの第１隆起部１３０ａ，１３０ｂが形成されている。２つの第１隆起部１３０ａ，１３０ｂは中心軸１０１に対して対称位置に配置されている。
【００２５】
第１隆起部１３０ａ，１３０ｂは、中心軸１０１と平行な方向に挿入部１０３から基端部１０４にいくにしたがって、中心軸１０１からの距離が増大するように傾斜した傾斜面１３１ａ，１３１ｂを備える。傾斜面１３１ａ，１３１ｂの最も基端部１０４側の位置に、第１隆起部１３０ａ，１３０ｂの頂部（中心軸１０１から最も遠い部分）１３２ａ，１３２ｂがある。中心軸１０１に直交する方向に沿った頂部１３２ａ，１３２ｂ間距離はＤ13である。距離Ｄ13はタケノコ形状部１０５の最大外径よりも大きい。
【００２６】
基端部１０４の円筒面である外周面には、畝状に突出した２本のリブ１２０ａ，１２０ｂが中心軸１０１と平行に延設されている。２本のリブ１２０ａ，１２０ｂは中心軸１０１に対して対称位置に配置されている。２本のリブ１２０ａ，１２０ｂの頂部間距離はＤ12である。中心軸１０１を通り、２本のリブ１２０ａ，１２０ｂを含む仮想の平面（図示せず）上に、２つの第１隆起部１３０ａ，１３０ｂが設けられている。
【００２７】
図３は、本実施の形態１にかかる接続部材を構成するロックパーツ２００の斜視図である。図４Ａは図３の矢印４Ａに沿って見たロックパーツ２００の正面図、図４Ｂは図３の矢印４Ｂに沿って見たロックパーツ２００の側面図、図４Ｃは図３の矢印４Ｃに沿って見たロックパーツ２００の下面図である。
【００２８】
ロックパーツ２００は、中心軸２０１に沿った貫通穴２０２が形成された、略円筒形状の本体部２０３を備える。以下の説明の便宜のため、中心軸２０１方向において、図３の紙面上側を「上側」、図３の紙面下側を「下側」と呼ぶ。
【００２９】
ロックパーツ２００の下側端に、中心軸２０１と平行な方向に沿って見たときに中心軸からの距離が増大するように盛り上がった２つの第２隆起部２３０ａ，２３０ｂが形成されている。２つの第２隆起部２３０ａ，２３０ｂは中心軸２０１に対して対称位置に配置されている。第２隆起部２３０ａ，２３０ｂの下側端に、第２隆起部２３０ａ，２３０ｂの頂部（中心軸２０１から最も遠い部分）２３２ａ，２３２ｂがある。中心軸２０１に直交する方向に沿った頂部２３２ａ，２３２ｂ間距離はＤ23である。上述した第１隆起部１３０ａ，１３０ｂの頂部１３２ａ，１３２ｂ間距離Ｄ13は、第２隆起部２３０ａ，２３０ｂの頂部２３２ａ，２３２ｂ間距離Ｄ23と同じか又はこれより大きい（Ｄ13≧Ｄ23）。ロックパーツ２００の下側には、第２隆起部２３０ａ，２３０ｂを残して切り落とすことにより、一対の切り欠き２３５ａ，２３５ｂが形成されている。
【００３０】
更に、本体部２０３の外周面には、中心軸２０１を含む面に沿って板状の一対の把持板２４０ａ，２４０ｂが立設されている。把持板２４０ａ，２４０ｂは、ロックパーツ２００を保持したり、中心軸２０１周りにロックパーツ２００を回転させるためのトルクをロックパーツ２００に付与したりする際に把持される。中心軸２０１方向において、把持板２４０ａ，２４０ｂは、切り欠き２３５ａ，２３５ｂが形成された領域には形成されていない。一対の把持板２４０ａ，２４０ｂに代えて、ロックパーツ２００の外周面を各種多角柱面に形成したり、該外周面に凹凸模様などが付与されていても良い。
【００３１】
本体部２０３の円筒面である内周面には、２本の凹状の溝２２０ａ，２２０ｂが形成されている。２本の溝２２０ａ，２２０ｂは、ロックパーツ２００の中心軸２０１方向の両端を結び、中心軸２０１と平行に延びている。２本の溝２２０ａ，２２０ｂは、中心軸２０１に対して対称位置に配置されている。本体部２０３の内周面の内径はＤ20、２本の溝２２０ａ，２２０ｂの底部（中心軸２０１から最も遠い部分）間距離はＤ22である。上述したリブ１２０ａ，１２０ｂの頂部間距離Ｄ12は、本体部２０３の内周面の内径Ｄ20より大きく、溝２２０ａ，２２０ｂの底部間距離Ｄ22より小さい（Ｄ20＜Ｄ12＜Ｄ22）。中心軸２０１を通り、２本の溝２２０ａ，２２０ｂを含む仮想の平面（図示せず）上に２つの第２隆起部２３０ａ，２３０ｂが設けられている。
【００３２】
オスコネクタ１００及びロックパーツ２００は、硬質の樹脂材料、例えばポリプロピレン、ポリカーボネート、ポリエチレン、ＡＢＳ樹脂、ポリ塩化ビニル等を用いて、射出成型等により製造することができる。
【００３３】
図５に示すように、ロックパーツ２００は、その貫通穴２０２の下側の開口からオスコネクタ１００の基端部１０４が挿入されて、オスコネクタ１００により貫通される。このとき、中心軸１０１，２０１に対するリブ１２０ａ，１２０ｂの回転方向位置と溝２２０ａ，２２０ｂの回転方向位置とを一致させることにより、リブ１２０ａ，１２０ｂは溝２２０ａ，２２０ｂ内を通過する。
【００３４】
ロックパーツ２００の第２隆起部２３０ａ，２３０ｂの下側端がオスコネクタ１００の第１隆起部１３０ａ，１３０ｂに当接するまでオスコネクタ１００をロックパーツ２００内に挿入すると、オスコネクタ１００のリブ１２０ａ，１２０ｂがロックパーツ２００よりも上側に露出する。
【００３５】
オスコネクタ１００が挿入されたロックパーツ２００のオスコネクタ１００に対する代表的な３つの位置を以下に説明する。なお、オスコネクタ１００及びロックパーツ２００は、両者間に隙間があるために、中心軸１０１と中心軸２０１とが一致しないような姿勢をとることは可能であるが、以下に示す図面では簡単化のためにオスコネクタ１００の中心軸１０１とロックパーツ２００の中心軸２０１とが一致した状態を示している。
【００３６】
第１は、図５に示す「挿入可能位置」である。ロックパーツ２００が挿入可能位置にあるとき、中心軸１０１，２０１に対する第１隆起部１３０ａ，１３０ｂの回転方向位置と第２隆起部２３０ａ，２３０ｂの回転方向位置とが一致する。
【００３７】
挿入可能位置では、ロックパーツ２００はオスコネクタ１００に対して中心軸１０１，２０１回りに回転することができる。
【００３８】
また、挿入可能位置では、ロックパーツ２００はオスコネクタ１００に対して中心軸１０１，２０１に沿って基端部１０４側に移動することができる。逆に、第１隆起部１３０ａ，１３０ｂと第２隆起部２３０ａ，２３０ｂとが中心軸１０１，２０１方向に当接することにより、ロックパーツ２００はオスコネクタ１００に対して中心軸１０１，２０１に沿って挿入部１０３側へ移動することができない。
【００３９】
第２は、図６に示す「第１拡張位置」である。ロックパーツ２００の第１拡張位置は、ロックパーツ２００を上記の挿入可能位置からオスコネクタ１００に対して中心軸１０１，２０１方向に移動させることなく約９０度回転させることで実現できる。第１拡張位置では、中心軸１０１，２０１に対する第１隆起部１３０ａ，１３０ｂの回転方向位置と第２隆起部２３０ａ，２３０ｂの回転方向位置とがずれている。
【００４０】
第１拡張位置では、上記挿入可能位置と同様に、ロックパーツ２００はオスコネクタ１００に対して中心軸１０１，２０１回りに回転することができる。
【００４１】
また、第１拡張位置では、リブ１２０ａ，１２０ｂと本体部２０３とが当接することにより、ロックパーツ２００はオスコネクタ１００に対して中心軸１０１，２０１に沿って基端部１０４側へ移動することができない。即ち、リブ１２０ａ，１２０ｂは、オスコネクタ１００が挿入されたロックパーツ２００がオスコネクタ１００の基端部１０４側から脱落するのを防止する脱落防止機構として機能する。第１拡張位置では、逆に、ロックパーツ２００はオスコネクタ１００に対して中心軸１０１，２０１に沿って挿入部１０３側に移動することができる。
【００４２】
第３は、図７に示す「第２拡張位置」である。ロックパーツ２００の第２拡張位置は、ロックパーツ２００を上記の第１拡張位置からオスコネクタ１００に対して回転させることなく中心軸１０１，２０１に沿って挿入部１０３側に移動させることで実現できる。第２拡張位置では、第１隆起部１３０ａ，１３０ｂが切り欠き２３５ａ，２３５ｂ内に嵌入しており、第１隆起部１３０ａ，１３０ｂの中心軸１０１，２０１方向位置と、第２隆起部２３０ａ，２３０ｂの中心軸１０１，２０１方向位置とが重複している。
【００４３】
第２拡張位置では、第１隆起部１３０ａ，１３０ｂと第２隆起部２３０ａ，２３０ｂとが当接することにより、ロックパーツ２００のオスコネクタ１００に対する中心軸１０１，２０１回りの回転が制限される。
【００４４】
また、第２拡張位置では、ロックパーツ２００はオスコネクタ１００に対して中心軸１０１，２０１に沿って基端部１０４側に移動することができる。逆に、第１隆起部１３０ａ，１３０ｂと本体部２０３とが当接することにより、ロックパーツ２００はオスコネクタ１００に対して中心軸１０１，２０１に沿って挿入部１０３側へ移動することができない。
【００４５】
本実施の形態１の接続部材１と可撓性を有する中空のＰＥＧチューブ９０の上流側端（メスコネクタ）とを接続する方法を以下に説明する。以下に示す図８、図１０、図１２において、ＰＥＧチューブ９０の図示しない下流側端は、患者の腹に形成された胃ろうを通って胃内に挿入されている。８０は患者に投与される液状物を搬送するための経腸栄養投与セットの下流側に設けられた可撓性を有する中空のチューブである。チューブ８０の下流側端は、オスコネクタ１００の貫通穴１０２に基端部１０４側から挿入されて、融着などの方法によりオスコネクタ１００と一体化されている。経腸栄養投与セットの図示しない上流側端は、例えば経腸栄養剤が充填された容器に接続されている。経腸栄養投与セットの構成は、特に制限はなく、例えばＪＩＳ  Ｔ３２１３で規定された経腸栄養投与セットや、これ以外の公知の経腸栄養投与セットのいずれであってもよい。経腸栄養投与セットには、その中を流れる液状物を圧送するための加圧機構などが設けられていても良い。
【００４６】
最初に、図８に示すように、ロックパーツ２００を挿入可能位置（図５参照）に維持した状態で、オスコネクタ１００の挿入部１０３をＰＥＧチューブ９０の上流側端に挿入する。このとき、オスコネクタ１００の基端部１０４を指で摘み、リブ１２０ａ，１２０ｂを利用して回転力を加えながら、オスコネクタ１００をＰＥＧチューブ９０内にねじ込むことができる。
【００４７】
第１隆起部１３０ａ，１３０ｂは、その頂部１３２ａ，１３２ｂよりも挿入部１０３側に傾斜面１３１ａ，１３１ｂを備えているので、オスコネクタ１００をＰＥＧチューブ９０内に挿入するにしたがって、ＰＥＧチューブ９０の上流側開口端縁は第１隆起部１３０ａ，１３０ｂの形状に沿って周方向に拡張される。更に、第１隆起部１３０ａ，１３０ｂの頂部１３２ａ，１３２ｂ間距離Ｄ13が第２隆起部２３０ａ，２３０ｂの頂部２３２ａ，２３２ｂ間距離Ｄ23と同じか又はこれより大きいので、ＰＥＧチューブ９０の上流側開口端縁は、第１隆起部１３０ａ，１３０ｂの頂部１３２ａ，１３２ｂを乗り越えた後、第２隆起部２３０ａ，２３０ｂの頂部２３２ａ，２３２ｂに引っ掛かることなく、これを容易に乗り越えることができる。
【００４８】
このようにして、図８に示すように、オスコネクタ１００の第１隆起部１３０ａ，１３０ｂの頂部１３２ａ，１３２ｂ及びロックパーツ２００の第２隆起部２３０ａ，２３０ｂの頂部２３２ａ，２３２ｂがＰＥＧチューブ９０で隠れてしまうように、オスコネクタ１００をＰＥＧチューブ９０内に深く挿入する。ＰＥＧチューブ９０は柔軟で弾力性を有するので、オスコネクタ１００の外形に沿って周方向に適宜拡張され、オスコネクタ１００の外周面に密着する。
【００４９】
図９は図８Ａの第１隆起部１３０ａ，１３０ｂの頂部１３２ａ，１３２ｂを通る９−９線での矢視断面図である。ＰＥＧチューブ９０が、第１隆起部１３０ａ，１３０ｂによって周方向に伸ばされていることが分かる。
【００５０】
次に、図１０に示すように、ロックパーツ２００をオスコネクタ１００に対して約９０度回転させて第１拡張位置（図６参照）に変位させる。ＰＥＧチューブ９０はオスコネクタ１００に密着しているので、ロックパーツ２００を回転させても、ＰＥＧチューブ９０はオスコネクタ１００に対してほとんど位置ずれすることはない。
【００５１】
図１１は図１０の第１隆起部１３０ａ，１３０ｂの頂部１３２ａ，１３２ｂを通る１１−１１線での矢視断面図である。ＰＥＧチューブ９０は、第１隆起部１３０ａ，１３０ｂに加えて第２隆起部２３０ａ，２３０ｂによっても周方向に伸ばされていることが分かる。通常状態（オスコネクタ１００が挿入されていない状態）に対するＰＥＧチューブ９０の周方向の伸び量は、図９よりも図１１において大きい。このＰＥＧチューブ９０の周方向の伸び量の増加に対応して、ＰＥＧチューブ９０と接続部材１との密着力が増大する。このように、ロックパーツ２００を図１０及び図１１に示すように第１拡張位置に変位させてＰＥＧチューブ９０の周方向の伸び量を増大させることにより、ＰＥＧチューブ９０と接続部材１とをより強く接続することができる。
【００５２】
また、図１０Ａを図８Ａと比較すれば分かるように、ＰＥＧチューブ９０の、第１隆起部１３０ａ，１３０ｂの頂部１３２ａ，１３２ｂより上側の部分が、頂部１３２ａ，１３２ｂを包み込むように内側に折れ曲がる。このようにＰＥＧチューブ９０が頂部１３２ａ，１３２ｂに係止されることにより、ＰＥＧチューブ９０と接続部材１との接続強度は更に向上する。
【００５３】
次に、図１２に示すように、ロックパーツ２００をオスコネクタ１００に対して挿入部１０３側に移動させて第２拡張位置（図７参照）に変位させる。ＰＥＧチューブ９０はオスコネクタ１００に密着しているので、ロックパーツ２００を移動させても、ＰＥＧチューブ９０はオスコネクタ１００に対してほとんど位置ずれすることはない。
【００５４】
図１３は図１２の第１隆起部１３０ａ，１３０ｂの頂部１３２ａ，１３２ｂを通る１３−１３線での矢視断面図である。ＰＥＧチューブ９０が、第１隆起部１３０ａ，１３０ｂに加えて第２隆起部２３０ａ，２３０ｂによっても周方向に伸ばされている点は、図１１と同じである。
【００５５】
また、図１２Ａに示すように、ＰＥＧチューブ９０の、第１隆起部１３０ａ，１３０ｂの頂部１３２ａ，１３２ｂより上側の部分が、頂部１３２ａ，１３２ｂを包み込むように内側に折れ曲がっており、これは図１０Ａと同じである。
【００５６】
第２拡張位置（図１２，図１３）では、第２隆起部２３０ａ，２３０ｂがＰＥＧチューブ９０内により深く挿入され、ＰＥＧチューブ９０のより深い部分を周方向に伸ばしている点で、第１拡張位置（図１０，図１１）と異なる。従って、ＰＥＧチューブ９０に引き抜き方向の引っ張り力が作用してＰＥＧチューブ９０がオスコネクタ１００に対して引き抜き方向に僅かに位置ずれしても、依然としてＰＥＧチューブ９０と接続部材１との高い接続強度を維持することができる。また、一般にＰＥＧチューブ９０の上流側端の内周面には、オスコネクタの挿入を容易にするために、開口側で内径が大きくなるテーパ面（円錐面）が形成されていることが多く、この場合には、ロックパーツ２００を第２拡張位置に変位させることで、内径のより小さな位置でＰＥＧチューブ９０が周方向に伸ばされるので、ＰＥＧチューブ９０と接続部材１との接続強度を更に増大させることができる。
【００５７】
ＰＥＧチューブ９０と接続部材１との接続状態を解除するには、上記と逆の操作を行えばよい。即ち、オスコネクタ１００に対してロックパーツ２００を第２拡張位置から第１拡張位置、挿入可能位置へと順に変位させた後、ＰＥＧチューブ９０から接続部材１を引き抜く。
【００５８】
以上のように、本実施の形態１の接続部材１は、挿入可能位置から第１拡張位置、第２拡張位置へとロックパーツ２００を順に変位させて、ＰＥＧチューブ９０の周方向の伸び量を順に増大させる。これにより、ＰＥＧチューブ９０の内周面と接続部材１との密着強度が順に増大するので、ＰＥＧチューブ９０と接続部材１とを強固に接続することができる。従って、ＰＥＧチューブ９０を通じて液状物を患者に圧送する場合や、接続部材１とＰＥＧチューブ９０との接続部分に作業者が意図せずに外力を加えてしまった場合などでも、ＰＥＧチューブ９０から接続部材１が外れてしまうのを防止できる。
【００５９】
しかも、オスコネクタ１００の挿入部１０３にはタケノコ形状部１０５などの従来のオスコネクタにおいて公知の形状を設けることができる。また、ＰＥＧチューブ９０に接続部材１を挿入し始める際には、ロックパーツ２００は挿入可能位置にあるので、第１隆起部１３０ａ，１３０ｂ及び第２隆起部２３０ａ，２３０ｂをＰＥＧチューブ９０内に挿入する際のＰＥＧチューブ９０の伸び量は比較的小さい。更に、第１隆起部１３０ａ，１３０ｂには、その頂部１３２ａ，１３２ｂよりも下側に傾斜面１３１ａ，１３１ｂが設けられている。また、第１隆起部１３０ａ，１３０ｂの頂部１３２ａ，１３２ｂ間距離Ｄ13は、第２隆起部２３０ａ，２３０ｂの頂部２３２ａ，２３２ｂ間距離Ｄ23と同じか又はこれより大きい。これらにより、ＰＥＧチューブ９０に対する接続部材１の挿入作業性は良好である。
【００６０】
また、ＰＥＧチューブ９０は、オスコネクタ１００に対するロックパーツ２００の位置（挿入可能位置、第１拡張位置、第２拡張位置）に応じて、周方向に可逆的に伸ばされるだけであるので、ＰＥＧチューブ９０と接続部材１とを何度でも再接続することができる。また、再接続を繰り返しても、ＰＥＧチューブ９０と接続部材１との接続強度は変化しない。
【００６１】
また、本実施の形態１の接続部材１は、ＰＥＧチューブ９０内に挿入されて、ＰＥＧチューブ９０の内周面を中心軸１０１，２０１から遠ざかるように押し出す。即ち、接続部材１はＰＥＧチューブ９０の外周面に対して何ら作用しない。従って、ＰＥＧチューブ９０の外径や肉厚とは無関係に、常に高い接続強度を得ることができる。
【００６２】
また、接続部材１は、オスコネクタ１００とロックパーツ２００との２部品のみで構成されるので、部品点数が少なく、低コストである。しかも、ロックパーツ２００にオスコネクタ１００を挿入するだけで組み立てられるので、組立は極めて容易である。更に、ロックパーツ２００はオスコネクタ１００が挿入されているので、部品を紛失する可能性は低い。
【００６３】
（実施の形態２）
本発明の実施の形態２にかかる接続部材２は、略筒形状のオスコネクタ３００と、オスコネクタ３００を挿入可能なロックパーツ４００とを備える。以下に示す図において、実施の形態１で説明した図に示された構成要素と同じ構成要素には同一の符号を付しており、それらについての説明を省略する。
【００６４】
図１４は、本実施の形態２にかかる接続部材を構成するオスコネクタ３００の斜視図である。図１５Ａは図１４の矢印１５Ａに沿って見たオスコネクタ３００の正面図、図１５Ｂは図１４の矢印１５Ｂに沿って見たオスコネクタ３００の側面図、図１５Ｃは図１４の矢印１５Ｃに沿って見たオスコネクタ３００の下面図である。本実施の形態２のオスコネクタ３００は、以下の点で実施の形態１のオスコネクタ１００と異なる。
【００６５】
第１に、実施の形態１のオスコネクタ１００において基端部１０４の外周面に設けられていたリブ１２０ａ，１２０ｂは、本実施の形態２のオスコネクタ３００には設けられていない。
【００６６】
第２に、本実施の形態２のオスコネクタ３００では、基端部１０４の上側端に２つの凹部（切り欠き）３２０ａ，３２０ｂが設けられている。２つの凹部３２０ａ，３２０ｂは中心軸１０１に対して対称位置に配置されている。中心軸１０１を通り、２つの凹部３２０ａ，３２０ｂを含む仮想の平面（図示せず）上に、２つの第１隆起部１３０ａ，１３０ｂが設けられている。
【００６７】
図１６は、本実施の形態２にかかる接続部材を構成するロックパーツ４００の斜視図である。図１７Ａは図１６の矢印１７Ａに沿って見たロックパーツ４００の正面図、図１７Ｂは図１６の矢印１７Ｂに沿って見たロックパーツ４００の側面図、図１７Ｃは図１６の矢印１７Ｃに沿って見たロックパーツ４００の下面図である。本実施の形態２のロックパーツ４００は、以下の点で実施の形態１のロックパーツ２００と異なる。
【００６８】
第１に、実施の形態１のロックパーツ２００において本体部２０３の内周面に形成されていた溝２２０ａ，２２０ｂは、本実施の形態２のロックパーツ４００には設けられていない。
【００６９】
第２に、本実施の形態２のロックパーツ４００では、本体部２０３の上側の開口端近傍の内周面に２つの凸部４２０ａ，４２０ｂが設けられている。中心軸２０１を通り、２つの凸部４２０ａ，４２０ｂを含む仮想の平面（図示せず）上に２つの第２隆起部２３０ａ，２３０ｂ及び一対の把持板２４０ａ，２４０ｂが設けられている。
【００７０】
実施の形態１の場合と同様に、オスコネクタ３００及びロックパーツ４００は、硬質の樹脂材料、例えばポリプロピレン、ポリカーボネート、ポリエチレン、ＡＢＳ樹脂、ポリ塩化ビニル等を用いて、射出成型等により製造することができる。
【００７１】
図１８に示すように、ロックパーツ４００は、その貫通穴２０２の下側の開口からオスコネクタ３００の基端部１０４が挿入される。
【００７２】
オスコネクタ３００が挿入されたロックパーツ４００のオスコネクタ３００に対する代表的な２つの位置を以下に説明する。なお、オスコネクタ３００及びロックパーツ４００は、両者間に隙間があるために、中心軸１０１と中心軸２０１とが一致しないような姿勢をとることは可能であるが、以下に示す図面では簡単化のためにオスコネクタ３００の中心軸１０１とロックパーツ２００の中心軸２０１とが一致した状態を示している。
【００７３】
第１は、図１８に示す「挿入可能位置」である。ロックパーツ４００が挿入可能位置にあるとき、オスコネクタ３００の凹部３２０ａ，３２０ｂにロックパーツ４００の凸部４２０ａ，４２０ｂがそれぞれ嵌入する。従って、挿入可能位置では、ロックパーツ４００はオスコネクタ３００に対して中心軸１０１，２０１回りに回転することができない。
【００７４】
また、挿入可能位置では、第１隆起部１３０ａ，１３０ｂと第２隆起部２３０ａ，２３０ｂとが中心軸１０１，２０１方向に当接する。従って、ロックパーツ４００はオスコネクタ３００に対して中心軸１０１，２０１に沿って挿入部１０３側へ移動することができない。
【００７５】
第２は、図１９に示す「拡張位置」である。ロックパーツ４００の拡張位置は、上記の挿入可能位置からロックパーツ４００をオスコネクタ３００に対して中心軸１０１，２０１に沿って上側に移動させて凹部３２０ａ，３２０ｂと凸部４２０ａ，４２０ｂとの嵌合を解除し、次いで、ロックパーツ４００をオスコネクタ３００に対して約９０度回転させることで実現できる。拡張位置では、中心軸１０１，２０１に対する第１隆起部１３０ａ，１３０ｂの回転方向位置と第２隆起部２３０ａ，２３０ｂの回転方向位置とがずれている。
【００７６】
拡張位置では、ロックパーツ４００の凸部４２０ａ，４２０ｂは、オスコネクタ２００の基端部１０４側の開口端面と当接している。但し、凹部３２０ａ，３２０ｂと凸部４２０ａ，４２０とは係合していないので、ロックパーツ４００はオスコネクタ３００に対して中心軸１０１，２０１回りに回転することができる。
【００７７】
第１隆起部１３０ａ，１３０ｂの頂部１３２ａ，１３２ｂと、第２隆起部２３０ａ，２３０ｂの頂部２３２ａ，２３２ｂとの中心軸１０１，２０１方向に沿った距離は、挿入可能位置（図１８）より拡張位置（図１９）のほうが大きい（後述する図２０Ａ、図２１Ｂを参照）。
【００７８】
本実施の形態２の接続部材２と可撓性を有する中空のＰＥＧチューブ９０の上流側端（メスコネクタ）とを接続する方法を以下に説明する。
【００７９】
最初に、図２０Ａに示すように、ロックパーツ４００を挿入可能位置（図１８参照）に維持した状態で、オスコネクタ３００の挿入部１０３をＰＥＧチューブ９０の上流側端に挿入する。挿入可能位置ではロックパーツ４００の凸部４２０ａ，４２０ｂがオスコネクタ３００の凹部３２０ａ，３２０ｂ内に嵌入している。従って、ロックパーツ４００の把持板２４０ａ，２４０ｂを指で摘んで回転力を加えながら、オスコネクタ３００をＰＥＧチューブ９０内にねじ込むことができる。
【００８０】
このようにして、図２０Ａに示すように、オスコネクタ３００の第１隆起部１３０ａ，１３０ｂの頂部１３２ａ，１３２ｂ及びロックパーツ４００の第２隆起部２３０ａ，２３０ｂの頂部２３２ａ，２３２ｂがＰＥＧチューブ９０で隠れてしまうように、オスコネクタ１００をＰＥＧチューブ９０内に深く挿入する。ＰＥＧチューブ９０は柔軟で弾力性を有するので、オスコネクタ１００の外形に沿って周方向に適宜拡張され、オスコネクタ１００の外周面に密着する。
【００８１】
図２０Ｂは図２０Ａの第１隆起部１３０ａ，１３０ｂの頂部１３２ａ，１３２ｂを通る２０Ｂ−２０Ｂ線での矢視断面図である。ＰＥＧチューブ９０が、第１隆起部１３０ａ，１３０ｂによって周方向に伸ばされていることが分かる。
【００８２】
次に、図２１Ａに示すように、オスコネクタ３００に対してロックパーツ４００を、中心軸１０１，２０１に沿って上側に移動させ、次いで、約９０度回転させ拡張位置（図１９参照）に変位させる。ＰＥＧチューブ９０はオスコネクタ３００に密着しているので、ロックパーツ４００を変位させても、ＰＥＧチューブ９０はオスコネクタ３００に対してほとんど位置ずれすることはない。
【００８３】
図２１Ｂは図２１Ａの第１隆起部１３０ａ，１３０ｂの頂部１３２ａ，１３２ｂを通る２１Ｂ−２１Ｂ線での矢視断面図である。ＰＥＧチューブ９０は、第１隆起部１３０ａ，１３０ｂに加えて第２隆起部２３０ａ，２３０ｂによっても周方向に伸ばされていることが分かる。通常状態（オスコネクタ３００が挿入されていない状態）に対するＰＥＧチューブ９０の周方向の伸び量は、図２０Ａよりも図２１Ａにおいて大きい。このＰＥＧチューブ９０の周方向の伸び量の増加に対応して、ＰＥＧチューブ９０と接続部材２との密着力が増大する。このように、ロックパーツ４００を図２１Ａ及び図２１Ｂに示すように拡張位置に変位させてＰＥＧチューブ９０の周方向の伸び量を増大させることにより、ＰＥＧチューブ９０と接続部材２とをより強く接続することができる。
【００８４】
また、図２１Ａを図２０Ａと比較すれば分かるように、ＰＥＧチューブ９０の、第１隆起部１３０ａ，１３０ｂの頂部１３２ａ，１３２ｂより上側の部分が、頂部１３２ａ，１３２ｂを包み込むように内側に折れ曲がる。このようにＰＥＧチューブ９０が頂部１３２ａ，１３２ｂに係止されることにより、ＰＥＧチューブ９０と接続部材２との接続強度は更に向上する。
【００８５】
ＰＥＧチューブ９０と接続部材２との接続状態を解除するには、上記と逆の操作を行えばよい。即ち、オスコネクタ３００に対してロックパーツ４００を拡張位置から挿入可能位置へ変位させた後、ＰＥＧチューブ９０から接続部材２を引き抜く。
【００８６】
以上のように、本実施の形態２の接続部材２は、挿入可能位置から拡張位置へロックパーツ４００を変位させて、ＰＥＧチューブ９０の周方向の伸び量を増大させる。これにより、ＰＥＧチューブ９０の内周面と接続部材２との密着強度が増大するので、ＰＥＧチューブ９０と接続部材２とを強固に接続することができる。従って、ＰＥＧチューブ９０を通じて液状物を患者に圧送する場合や、接続部材２とＰＥＧチューブ９０との接続部分に作業者が意図せずに外力を加えてしまった場合などでも、ＰＥＧチューブ９０から接続部材２が外れてしまうのを防止できる。
【００８７】
しかも、オスコネクタ３００の挿入部１０３にはタケノコ形状部１０５などの従来のオスコネクタにおいて公知の形状を設けることができる。また、ＰＥＧチューブ９０に接続部材２を挿入し始める際には、ロックパーツ４００は挿入可能位置にあるので、第１隆起部１３０ａ，１３０ｂ及び第２隆起部２３０ａ，２３０ｂをＰＥＧチューブ９０内に挿入する際のＰＥＧチューブ９０の伸び量は比較的小さい。更に、第１隆起部１３０ａ，１３０ｂには、その頂部１３２ａ，１３２ｂよりも下側に傾斜面１３１ａ，１３１ｂが設けられている。また、第１隆起部１３０ａ，１３０ｂの頂部１３２ａ，１３２ｂ間距離Ｄ13は、第２隆起部２３０ａ，２３０ｂの頂部２３２ａ，２３２ｂ間距離Ｄ23と同じか又はこれより大きい。これらにより、ＰＥＧチューブ９０に対する接続部材２の挿入作業性は良好である。
【００８８】
また、ＰＥＧチューブ９０は、オスコネクタ３００に対するロックパーツ４００の位置（挿入可能位置、拡張位置）に応じて、周方向に可逆的に伸ばされるだけであるので、ＰＥＧチューブ９０と接続部材２とを何度でも再接続することができる。また、再接続を繰り返しても、ＰＥＧチューブ９０と接続部材２との接続強度は変化しない。
【００８９】
また、本実施の形態２の接続部材２は、ＰＥＧチューブ９０内に挿入されて、ＰＥＧチューブ９０の内周面を中心軸１０１，２０１から遠ざかるように押し出す。即ち、接続部材２はＰＥＧチューブ９０の外周面に対して何ら作用しない。従って、ＰＥＧチューブ９０の外径や肉厚とは無関係に、常に高い接続強度を得ることができる。
【００９０】
また、接続部材２は、オスコネクタ３００とロックパーツ４００との２部品のみで構成されるので、部品点数が少なく、低コストである。しかも、ロックパーツ４００にオスコネクタ３００を挿入するだけで組み立てられるので、組立は極めて容易である。更に、ロックパーツ４００はオスコネクタ３００が挿入されているので、部品を紛失する可能性は低い。
【００９１】
上記の実施の形態１，２は例示に過ぎず、種々の変更が可能である。
【００９２】
例えば、上記の実施の形態１，２ではオスコネクタ１００，３００は２つの第１隆起部１３０ａ，１３０ｂを備え、ロックパーツ２００，４００は２つの第２隆起部２３０ａ，２３０ｂを備えていたが、オスコネクタが備える第１隆起部の数、ロックパーツが備える第２隆起部の数はいずれも２つに限定されず、１つ又は３つ以上であっても良い。但し、第１及び第２隆起部の数が多くなると、ロックパーツ２００，４００の位置を挿入可能位置と拡張位置（第１拡張位置、第２拡張位置）との間で変化させたときのＰＥＧチューブ９０の周方向の伸びの変化量が少なくなる。また、第１及び第２隆起部の数が１つだけだと、接続部材が中心軸１０１，２０１に対して非対称な形状になるので、高い接続強度を安定して得ることが困難となることがある。従って、第１及び第２隆起部の数は、いずれも２つであることが好ましい。
【００９３】
複数の第１隆起部の中心軸１０１に対する配置は特に制限はないが、中心軸１０１に対して等角度間隔に配置されることが好ましい。これにより、オスコネクタ１００をＰＥＧチューブ９０に挿入したときに、ＰＥＧチューブ９０を中心軸１０１に対して対称に伸ばすことができるので、高い接続強度を安定して得られやすくなる。また、ＰＥＧチューブ９０の周方向の伸び量を増大させることができるので、より高い接続強度を得ることができる。
【００９４】
更に、複数の第２隆起部の中心軸２０１に対する配置も特に制限はないが、中心軸２０１に対して等角度間隔に配置されることが好ましい。これにより、ロックパーツを回転させてその位置を挿入可能位置と拡張位置（第１拡張位置、第２拡張位置）との間で変化させたときに、オスコネクタの中心軸１０１とロックパーツの中心軸２０１との位置ずれがほとんど発生しないので、ＰＥＧチューブ９０を周方向にバランス良く伸ばすことができ、高い接続強度を常に安定して得ることができる。
【００９５】
第１隆起部の数と第２隆起部の数は同じであっても異なっていても良い。しかしながら、同数であると、ロックパーツの位置を挿入可能位置と拡張位置（第１拡張位置、第２拡張位置）との間で変化させたときのＰＥＧチューブ９０の周方向の伸びの変化量を大きくすることができるので好ましい。
【００９６】
中心軸１０１，２０１と平行な方向に沿って見た第１隆起部及び第２隆起部の形状は、上記の実施の形態１，２では略円弧形状であったが、本発明はこれに限定されない。中心軸１０１，２０１からの距離が増大するように盛り上がっていれば、ＰＥＧチューブ９０を周方向に伸ばすことができるので、本発明の効果を得ることができる。例えば、楕円の一部、三角形、台形等であってもよい。但し、第１隆起部及び第２隆起部がＰＥＧチューブ９０を傷付けるのを防止するために、第１隆起部及び第２隆起部の外周端縁は面取りされていたり、円弧形状が設けられていたりすることが好ましい。
【００９７】
上記の実施の形態１，２では、ロックパーツの下側の、第２隆起部２３０ａ，２３０ｂ以外の部分には切り欠き２３５ａ，２３５ｂが形成されていた。しかしながら、本発明では、切り欠きを省略し、第２隆起部が設けられていない部分に周方向に連続する円筒壁を設けてもよい。この円筒壁を実施の形態１のロックパーツ２００に設けると、ロックパーツ２００は、第２拡張位置に移動することはできないが、挿入可能位置から第１拡張位置に移動することは可能であるから、高い接続強度を得ることが可能である。
【００９８】
上記の実施の形態１，２では、本発明の接続部材を経腸栄養投与セットを構成するチューブの下流側端に設ける例を示したが、本発明はこれに限定されない。例えば、ラインを延長するために、経腸栄養投与セットと経腸栄養カテーテルとの間に接続して使用される経腸栄養延長チューブを構成する可撓性を有する中空のチューブの下流側端に設けることもできる。経腸栄養延長チューブの構成は、特に制限はなく、例えばＪＩＳ  Ｔ３２６４で規定された経腸栄養延長チューブや、これ以外の公知の経腸栄養延長チューブのいずれであってもよい。接続部材と経腸栄養延長チューブとの接続は、上記の実施の形態１，２と同様に、経腸栄養延長チューブを構成するチューブの下流側端を、オスコネクタ１００の貫通穴１０２に基端部１０４側から挿入し、融着などの方法によりオスコネクタ１００と一体化することで行うことができる。更に、経腸栄養投与セットや経腸栄養延長チューブ以外の中空のチューブの一端に本発明の接続部材を取り付けることもできる。
【００９９】
上記の実施の形態１，２では、本発明の接続部材をＰＥＧチューブと接続する場合を例に説明したが、本発明の接続部材は、ＰＥＧチューブ以外の経鼻チューブやＰＴＥＧチューブなどの経腸栄養療法に用いられる各種チューブ（経腸栄養カテーテル）や、経腸栄養療法以外に用いられる医療用チューブ、更には医療用以外の用途に用いられるチューブに適用することが可能である。
【産業上の利用可能性】
【０１００】
本発明の利用分野は特に制限はなく、中空のチューブを接続する必要がある、医療、食品、化学などの各種分野に広範囲に利用することができる。
【図面の簡単な説明】
【０１０１】
【図１】図１は、本発明の実施の形態１にかかる接続部材を構成するオスコネクタの斜視図である。
【図２】図２Ａは図１の矢印２Ａに沿って見たオスコネクタの正面図、図２Ｂは図１の矢印２Ｂに沿って見たオスコネクタの側面図、図２Ｃは図１の矢印２Ｃに沿って見たオスコネクタの下面図である。
【図３】図３は、本発明の実施の形態１にかかる接続部材を構成するロックパーツの斜視図である。
【図４】図４Ａは図３の矢印４Ａに沿って見たロックパーツの正面図、図４Ｂは図３の矢印４Ｂに沿って見たロックパーツの側面図、図４Ｃは図３の矢印４Ｃに沿って見たロックパーツの下面図である。
【図５】図５は、ロックパーツが挿入可能位置にある本発明の実施の形態１に係る接続部材の斜視図である。
【図６】図６は、ロックパーツが第１拡張位置にある本発明の実施の形態１に係る接続部材の斜視図である。
【図７】図７は、ロックパーツが第２拡張位置にある本発明の実施の形態１に係る接続部材の斜視図である。
【図８】図８Ａは本発明の実施の形態１に係る接続部材がＰＥＧチューブの上流側端に挿入され、ロックパーツが挿入可能位置にある状態を示した一部断面正面図、図８Ｂはその一部断面側面図である。
【図９】図９は、図８Ａの９−９線での矢視断面図である。
【図１０】図１０Ａは本発明の実施の形態１に係る接続部材がＰＥＧチューブの上流側端に挿入され、ロックパーツが第１拡張位置にある状態を示した一部断面正面図、図１０Ｂはその一部断面側面図である。
【図１１】図１１は、図１０Ａの１１−１１線での矢視断面図である。
【図１２】図１２Ａは本発明の実施の形態１に係る接続部材がＰＥＧチューブの上流側端に挿入され、ロックパーツが第２拡張位置にある状態を示した一部断面正面図、図１２Ｂはその一部断面側面図である。
【図１３】図１３は、図１２Ａの１３−１３線での矢視断面図である。
【図１４】図１４は、本発明の実施の形態２にかかる接続部材を構成するオスコネクタの斜視図である。
【図１５】図１５Ａは図１４の矢印１５Ａに沿って見たオスコネクタの正面図、図１５Ｂは図１４の矢印１５Ｂに沿って見たオスコネクタの側面図、図１５Ｃは図１４の矢印１５Ｃに沿って見たオスコネクタの下面図である。
【図１６】図１６は、本発明の実施の形態２にかかる接続部材を構成するロックパーツの斜視図である。
【図１７】図１７Ａは図１６の矢印１７Ａに沿って見たロックパーツの正面図、図１７Ｂは図１６の矢印１７Ｂに沿って見たロックパーツの側面図、図１７Ｃは図１６の矢印１７Ｃに沿って見たロックパーツの下面図である。
【図１８】図１８は、ロックパーツが挿入可能位置にある本発明の実施の形態２に係る接続部材の斜視図である。
【図１９】図１９は、ロックパーツが拡張位置にある本発明の実施の形態２に係る接続部材の斜視図である。
【図２０Ａ】図２０Ａは、本発明の実施の形態２に係る接続部材がＰＥＧチューブの上流側端に挿入され、ロックパーツが挿入可能位置にある状態を示した一部断面正面図である。
【図２０Ｂ】図２０Ｂは、図２０Ａの２０Ｂ−２０Ｂ線での矢視断面図である。
【図２１Ａ】図２１Ａは、本発明の実施の形態２に係る接続部材がＰＥＧチューブの上流側端に挿入され、ロックパーツが拡張位置にある状態を示した一部断面正面図である。
【図２１Ｂ】図２１Ｂは、図２１Ａの２１Ｂ−２１Ｂ線での矢視断面図である。
【符号の説明】
【０１０２】
１，２  接続部材
１００，３００  オスコネクタ
１０１  オスコネクタの中心軸
１０２  貫通穴
１０３  挿入部
１０４  基端部
１０５  タケノコ形状部
１３０ａ，１３０ｂ  第１隆起部
１３１ａ，１３１ｂ  傾斜面
１３２ａ，１３２ｂ  頂部
１２０ａ，１２０ｂ  リブ（脱落防止機構）
２００，４００  ロックパーツ
２０１  ロックパーツの中心軸
２０２  貫通穴
２０３  本体部
２３０ａ，２３０ｂ  第２隆起部
２３２ａ，２３２ｂ  頂部
２３５ａ，２３５ｂ  切り欠き
２４０ａ，２４０ｂ  把持板
２２０ａ，２２０ｂ  溝
３２０ａ，３２０ｂ  凹部
４２０ａ，４２０ｂ  凸部
【図１】
2010115327.tif 000003
【図２】
2010115327.tif 000004
【図３】
2010115327.tif 000005
【図４】
2010115327.tif 000006
【図５】
2010115327.tif 000007
【図６】
2010115327.tif 000008
【図７】
2010115327.tif 000009
【図８】
2010115327.tif 000010
【図９】
2010115327.tif 000011
【図１０】
2010115327.tif 000012
【図１１】
2010115327.tif 000013
【図１２】
2010115327.tif 000014
【図１３】
2010115327.tif 000015
【図１４】
2010115327.tif 000016
【図１５】
2010115327.tif 000017
【図１６】
2010115327.tif 000018
【図１７】
2010115327.tif 000019
【図１８】
2010115327.tif 000020
【図１９】
2010115327.tif 000021
【図２０Ａ】
2010115327.tif 000022
【図２０Ｂ】
2010115327.tif 000023
【図２１Ａ】
2010115327.tif 000024
【図２１Ｂ】
2010115327.tif 000025